(57)【要約】【課題】浴槽に取り付ける手間を省くとともに安定性に優れ、かつ、入浴時に浴槽内でくつろいでリラックスした姿勢を保持できる浴槽を提供する。  【解決手段】入浴者の身体が接触する浴槽１０の内側面の適度の傾斜面を有する背もたれ部１１とフランジ部１２の領域に凹部１１ａ、１２ａを入浴者の首、肩、背中、腰をカバーする大きさに形成し、凹部１１ａ、１２ａに嵌め込む軟質性部材からなるリラックス姿勢保持具２０を凹部１１ａ、１２ａの内部に着脱自在に取り付ける。【選択図】  図４
0003125697.tif 000002
【実用新案登録請求の範囲】
【請求項１】
入浴者の身体が接触する浴槽の内側面に凹部を形成し、前記凹部に嵌め込む軟質性部材からなるリラックス姿勢保持具を当該凹部内に取り付けたことを特徴とする浴槽。
【請求項２】
前記リラックス姿勢保持具を取り付ける前記凹部は前記浴槽の内側面の適度の傾斜面を有する背もたれ部とフランジ部の領域に形成されると共に、前記凹部の形状は入浴者の首、肩、背中、腰をカバーする大きさに形成されることを特徴とする請求項１に記載の浴槽。
【請求項３】
前記リラックス姿勢保持具は発泡樹脂製マットからなり、前記リラックス姿勢保持具の形状は前記凹部の形状に相応するように入浴者の首、肩、背中、腰をカバーする大きさに形成され、前記リラックス姿勢保持具は前記凹部内に着脱自在に取り付けられることを特徴とする請求項１又は請求項２に記載の浴槽。
【考案の詳細な説明】
【技術分野】
【０００１】
本考案は、入浴時に浴槽内でくつろいでリラックスした姿勢を保持できる浴槽に関するものである。
【背景技術】
【０００２】
浴槽は、ＦＲＰ等で形成したプラスチック製のものやステンレス等で形成した金属製のものが一般的に存在する。しかし、このような硬い材質によって浴槽が形成されているため、入浴時に足を投げ出してもたれる姿勢をとると入浴者の身体が浴槽内壁やフランジのかど部分などの硬い箇所に接触して苦痛を感じることが多くあり、快適さに欠けるという問題を有している。
【０００３】
従来、浴槽内でくつろいでリラックスしながら入浴することを目的として、以下のような提案がなされている。
【０００４】
特開２０００−６０７５４号公報には、腰掛け面に着座した場合の使用感及び安全性の向上を図るとともに、入浴時の体姿勢保持及び起立する際の手掛かりとなるものが見栄え良くまた邪魔にならないように使い勝手良く設けられハイレベルのリラックス感をもたらすことができる「浴槽」が開示されている（特許文献１）。
【０００５】
特開平６−１３３８８３号公報には、枕に頭を載せて寝た姿勢でくつろいで肩のマッサージをすることができるように、浴槽の背側のフランジに弾性体でできた枕を設け、枕の両側に入浴者の肩に向けて噴流を噴射する肩当て用ノズルを設けた「浴槽の肩マッサージ装置」が開示されている（特許文献２）。
【０００６】
特開２００５−３２９０４７号公報には、入浴者に合った負担のかからない傾斜を確保することができるように、硬質プラスチックによって一体的に形成され、背もたれ支持部は背骨の曲がりに応じて曲面形状に形成されている「浴槽用背もたれ具」が開示されている（特許文献３）。
【０００７】
特開２００１−１６９９５０号公報には、浴槽内で背中及び頭部を柔らかく支持することができるように、背もたれ部及び頭部支持部からなる柔軟性を有する発泡樹脂製のマットと、マットに固定され浴槽に取り付けるための吸盤からなる「浴槽背もたれマット」が開示されている（特許文献４）。
【０００８】
特開平８−２８０５０５号公報には、入浴時に浴槽内において首や頭や足や腰等の身体の一部を押し当てた場合に、適当な感触が得られると共に適当な刺激が加わってマッサージ効果も得られリラックスした状態で入浴できる「浴槽用の身体当て具」が開示されている（特許文献５）。
【０００９】
実用新案登録第３１１８１９２号公報には、あらゆる形状の浴槽のフランジに適応可能で、汎用性に優れ快適な使用感を提供する「浴槽用枕」が開示されている（特許文献６）。
【００１０】
特開２００５−８７６９０号公報には、半身浴がリラックスした楽な姿勢ででき、腰掛け台座の高さ調整も簡単にできる「入浴補助具」が開示されている（特許文献７）。
【００１１】
【特許文献１】特開２０００−６０７５４号公報
【特許文献２】特開平６−１３３８８３号公報
【特許文献３】特開２００５−３２９０４７号公報
【特許文献４】特開２００１−１６９９５０号公報
【特許文献５】特開平８−２８０５０５号公報
【特許文献６】実用新案登録第３１１８１９２号公報
【特許文献７】特開２００５−８７６９０号公報
【考案の開示】
【考案が解決しようとする課題】
【００１２】
上述した従来技術では、浴槽内でくつろいでリラックスしながら入浴することを目的として浴槽自体に工夫を施したものは少なく、入浴の際に入浴補助具などをあくまで浴槽に補助的に取り付けて使用するものが多いため、浴槽に取り付けるのに手間がかかる又は安定性に欠けるなどの問題を有しており、さらには浴槽によっては使用できない場合がある。
【００１３】
そこで、本考案は、これらの問題を解決するため、浴槽に取り付ける手間を省くとともに安定性に優れ、かつ、入浴時に浴槽内でくつろいでリラックスした姿勢を保持できる浴槽を提供することを目的とする。
【課題を解決するための手段】
【００１４】
上記課題を解決するために、請求項１に記載の考案は、入浴者の身体が接触する浴槽の内側面に凹部を形成し、前記凹部に嵌め込む軟質性部材からなるリラックス姿勢保持具を当該凹部内に取り付けたことを特徴とする。
【００１５】
また、請求項２に記載の考案について、請求項１に記載の前記リラックス姿勢保持具を取り付ける前記凹部は前記浴槽の内側面の適度の傾斜面を有する背もたれ部とフランジ部の領域に形成されると共に、前記凹部の形状は入浴者の首、肩、背中、腰をカバーする大きさに形成されることを特徴とする。
【００１６】
また、請求項３に記載の考案について、請求項１又は請求項２に記載の前記リラックス姿勢保持具は発泡樹脂製マットからなり、前記リラックス姿勢保持具の形状は前記凹部の形状に相応するように入浴者の首、肩、背中、腰をカバーする大きさに形成され、前記リラックス姿勢保持具は前記凹部内に着脱自在に取り付けられることを特徴とする。
【考案の効果】
【００１７】
以上のように、本考案によれば、入浴者の身体が接触する浴槽の内側面に凹部を形成し軟質性部材からなるリラックス姿勢保持具を取り付けるようにしたので、浴槽にリラックス姿勢保持具を取り付ける手間を省くとともに安定性に優れ、かつ、入浴時に浴槽内でくつろいでリラックスした姿勢を保持することができる。
【考案を実施するための最良の形態】
【００１８】
以下、本考案の実施の一形態について、図面を参酌しながら説明する。
【００１９】
図１は本考案にかかる浴槽の一例を示す斜視図、図２は図１に示す浴槽の平面図、図３は図１に示す浴槽においてリラックス姿勢保持具を取り外した状態を示す平面図、図４は図１に示す浴槽の側面構造を示す説明図である。
【００２０】
図１及び図２に示すように、浴槽１０の背もたれ部１１とフランジ部１２には、軟質性部材からなるリラックス姿勢保持具２０が取り付けられている。
本考案では、入浴者の身体が接触する浴槽１０の内側面にリラックス姿勢保持具２０が浴槽１０と一体になるように取り付けられているため、入浴時に浴槽１０内でくつろいでリラックスした姿勢を保持することができる。
【００２１】
ここで、リラックス姿勢保持具２０の材質としては、浴槽１０内でくつろいでリラックスしながら入浴することができるようにクッション性が優れた軟質性部材を採用する必要があるが、その中でも発泡樹脂製マットが適していると考えられる。ただし、材質はこれに限定されるものではなく、低反発の軟質ウレタンフォームやウォーターベッドに使用される材質などを採用してもよい。
【００２２】
次に、リラックス姿勢保持具２０が浴槽１０と一体になるように取り付けるための浴槽の構造の一例について、図３及び図４に基づいて説明する。なお、リラックス姿勢保持具及び浴槽の構造については、本考案の主旨から逸脱しない限り適宜設計変更可能である。
【００２３】
図３に示すように、浴槽１０の内側面の適度の傾斜面を有する背もたれ部１１とフランジ部１２には、凹部１１ａと凹部１２ａが浴槽１０の本体と一体に形成されている。この凹部１１ａと凹部１２ａの各形状は、入浴者の首、肩、背中、腰をカバーする程度の大きさに調整されている。また、図４に示すように、背もたれ部１１とフランジ部１２の外側面には、凹部１１ａと凹部１２ａに対応した凸部１１ｂと凸部１２ｂが浴槽１０の本体と一体にそれぞれ形成されている。
【００２４】
また、図４に示すように、リラックス姿勢保持具２０は、凹部１１ａと凹部１２ａの各形状に相応するように、入浴者の首、肩、背中、腰をカバーする程度の大きさに調整されており、凹部１１ａと凹部１２ａの内部に着脱自在に取り付けられる。この取り付け方法については、リラックス姿勢保持具２０を凹部１１ａと凹部１２ａの内部にぴったりと嵌め込んで取り付ける方法が適している。
これにより、浴槽１０にリラックス姿勢保持具２０を取り付ける手間を省くとともに安定性に優れ、かつ、入浴時に浴槽１０内でくつろいでリラックスした姿勢を保持することができる。
【図面の簡単な説明】
【００２５】
【図１】本考案にかかる浴槽の一例を示す斜視図である。
【図２】図１に示す浴槽の平面図である。
【図３】図１に示す浴槽においてリラックス姿勢保持具を取り外した状態を示す平面図である。
【図４】図１に示す浴槽の側面構造を示す説明図である。
【符号の説明】
【００２６】
１０  浴槽
１１  背もたれ部
１１ａ  凹部
１１ｂ  凸部
１２  フランジ部
１２ａ  凹部
１２ｂ  凸部
１３  底部
２０  リラックス姿勢保持具
【図１】
0003125697.tif 000003
【図２】
0003125697.tif 000004
【図３】
0003125697.tif 000005
【図４】
0003125697.tif 000006